(57)【特許請求の範囲】
【請求項１】
スケートボードが乗るレールを備えたスケートボード練習補助装置であって、
差し込み方式のレール継手により抜き差し可能に直列に接続されて前記レールを構成する筒形状に形成された複数のレール本体と、
前記レールの一端部又は両端部に対し差し込み方式のスタンド継手を介して抜き差し可能に接続され、前記レールの端部を上下方向で支持する端部スタンド部と、
前記複数のレール本体同士の繋ぎ目を上下方向で支持し、前記繋ぎ目のレール継手に対して差し込み方式で抜き差し可能に接続される繋ぎ目スタンド部と、
ベルト部材の締付で前記レールの前端部に位置する前端レール本体と後端部に位置する後端レール本体に対して互いに向かい合う方向に押し込み力を付与するベルト締付手段とを備え、
前記複数のレール本体、前記端部スタンド部及び前記繋ぎ目スタンド部を樹脂材で形成したことを特徴とするスケートボード練習補助装置。
【請求項２】
請求項１において、
前記端部スタンド部は、前記前端レール本体を支持する前部側の端部スタンド部と、前記後端レール本体を支持する後部側の端部スタンド部とが設けられ、
前記ベルト締付手段は、前記前部側の端部スタンド部と前記後部側の端部スタンド部との間に掛け回されたベルト部材を長さ調整バックルを通して引っ張ることにより緊結する緊結ベルトで構成したことを特徴とするスケートボード練習補助装置。
【請求項３】
請求項１及び２のいずれか１項において、
前記複数のレール本体、前記端部スタンド部及び前記繋ぎ目スタンド部を円筒形状に形成したことを特徴とするスケートボード練習補助装置。
【請求項４】
請求項３において、
前記端部スタンド部は、上下方向に延びる円筒形の支柱を有し、前記支柱の内径部内に前記ベルト部材が通されていて、前記内径部に差し込まれる前記スタンド継手の差し込み部には、前記ベルト部材を挟み込む切欠溝が形成されていることを特徴とするスケートボード練習補助装置。
【請求項５】
請求項１及び２のいずれか１項において、
前記複数のレール本体、前記端部スタンド部及び前記繋ぎ目スタンド部を角筒形状に形成したことを特徴とするスケートボード練習補助装置。
【請求項６】
請求項４において、
前記端部スタンド部は、前記支柱を接地面に対して支持する接地部が接地面に接する金属板と、前記金属板の上面に起立固定された金属製の金属筒とにより構成し、前記支柱と前記金属筒を差し込み方式で接続し、固定したことを特徴とするスケートボード練習補助装置。
【発明の詳細な説明】
【技術分野】
【０００１】
本発明は、スケートボードで丸形レールや角形レールの上をスライドするボードスライド等の練習を行うためのスケートボード練習補助装置に係り、特に、持ち運びが容易で、安全性を備えたスケートボード練習補助装置に関する。
【背景技術】
【０００２】
スケートボードの競技等において、レールの上をスライドする技（以下「ボードスライド」という。）がある。このようレールスライドを習得するには、高さの低い丸形又は角形の中空パイプをレールとして利用して練習することから始めるのが一般的で、金属製パイプの両端にスタンドを取り付けたスケートボード練習補助装置が市販されている（非特許文献１）。
【０００３】
スケートボード練習補助装置は、レールに大きな衝撃、荷重が加わるため、金属製中空パイプとスタンドは強固に固定している。金属パイプ製のレールと金属パイプ製のスタンドとを固定する構造としては、例えばレールとパイプを金属パイプ製の継手をネジで固定する構成が提案される。この場合、継手に雌ネジを切ったネジ孔を形成し、レールとスタンドにはネジ孔に合わせてネジの通し孔を形成し、通し孔に取り付けネジを差し込んでネジ孔にねじ込み、継手を介してレールとスタンドの固定を行う。
【先行技術文献】
【非特許文献】
【０００４】
【非特許文献１】“スケートボードレール”、［online］、令和１年５月２９日、株式会社都村製作所、［令和１年５月２９日検索］、インターネット＜URL：https://shop.tsumura-f.co.jp/shopdetail/000000000395/＞
【発明の概要】
【発明が解決しようとする課題】
【０００５】
スケートボード練習補助装置を使用した練習は、広くて安全な場所が必要となるため、練習場所まで持ち運ぶには、スケートボード練習補助装置を分解組み立て構造とすると共に軽量化を図ることが望まれる。このため、レールとスタンドと継手を塩化ビニル管で構成することにより軽量化を図ることが可能となる。
【０００６】
しかし、スケートボード練習補助装置を金属製パイプに代えて塩化ビニル管で構成し、ネジ止めによる固定方式を採用すると、レールに大きな荷重や強い衝撃が加わった場合、継手側に形成したネジ孔のネジ山が潰れ易く、取り付けネジが抜けるという安全性の問題が生じる。
【０００７】
そこで、本発明は、このような従来の技術の有する未解決の課題に着目してなされたものであって、持ち運びが容易で、安全性を備えたスケートボード練習補助装置を提供することを目的としている。
【課題を解決するための手段】
【０００８】
〔発明１〕  上記目的を達成するために、発明１のスケートボード練習補助装置は、スケートボードが乗るレールを備えたスケートボード練習補助装置であって、差し込み方式のレール継手により抜き差し可能に直列に接続されて前記レールを構成する筒形状に形成された複数のレール本体と、前記レールの一端部又は両端部に対し差し込み方式のスタンド継手を介して抜き差し可能に接続され、前記レールの端部を上下方向で支持する端部スタンド部と、前記複数のレール本体同士の繋ぎ目を上下方向で支持し、前記繋ぎ目のレール継手に対して差し込み方式で抜き差し可能に接続される繋ぎ目スタンド部と、ベルト部材の締付で前記レールの前端部に位置する前端レール本体と後端部に位置する後端レール本体に対して互いに向かい合う方向に押し込み力を付与するベルト締付手段とを備え、前記複数のレール本体、前記端部スタンド部及び前記繋ぎ目スタンド部を樹脂材で形成した。
【０００９】
〔発明２〕  さらに、発明２のスケートボード練習補助装置は、発明１のスケートボード練習補助装置において、前記端部スタンド部は、前記前端レール本体を支持する前部側の端部スタンド部と、前記後端レール本体を支持する後部側の端部スタンド部とが設けられ、前記ベルト締付手段は、前記前部側の端部スタンド部と前記後部側の端部スタンド部との間に掛け回されたベルト部材を長さ調整バックルを通して引っ張ることにより緊結する緊結ベルトで構成した。
【００１０】
〔発明３〕  さらに、発明３のスケートボード練習補助装置は、発明１及び２のいずれか１のスケートボード練習補助装置において、前記複数のレール本体、前記端部スタンド部及び前記繋ぎ目スタンド部を円筒形状に形成した。
【００１１】
〔発明４〕  さらに、発明４のスケートボード練習補助装置は、発明３のスケートボード練習補助装置において、前記端部スタンド部は、上下方向に延びる円筒形の支柱を有し、前記支柱の内径部内に前記ベルト部材が通されていて、前記内径部に差し込まれる前記スタンド継手の差し込み部には、前記ベルト部材を挟み込む切欠溝が形成されている。
【００１２】
〔発明５〕  さらに、発明５のスケートボード練習補助装置は、発明１及び２のいずれか１のスケートボード練習補助装置において、前記複数のレール本体、前記端部スタンド部及び前記繋ぎ目スタンド部を角筒形状に形成した。
【００１３】
〔発明６〕  さらに、発明６のスケートボード練習補助装置は、発明４及び５のいずれか１のスケートボード練習補助装置において、前記端部スタンド部は、前記支柱を接地面に対して支持する接地部が接地面に接する金属板と、前記金属板の上面に起立固定された金属製の金属筒とにより構成し、前記支柱と前記金属筒を差し込み方式で接続し、固定した。
【発明の効果】
【００１４】
以上説明したように、発明１のスケートボード練習補助装置によれば、複数のレール本体をレール継手で抜き差し可能に繋いだレールを樹脂製の管材で構成しても、ベルト部材の締付で差し込み方向に付与した締付力で保持しているので、スケートボードの練習中にレール部材が緩むことがなく、安全性が確保される。また、レール本体に加えて支持スタンド部と繋ぎ目スタンド部、及び各種継手も樹脂製管材で構成するため、全体を軽量化でき、分解した状態での持ち運びが容易となる。
【００１５】
さらに、発明２のスケートボード練習補助装置によれば、ベルト締付手段はベルト部材を引っ張って締め付けると緩むことなく緊結されるので、簡単な操作で締付ができ、しかも確実に締付力が保持される。
【００１６】
さらに、発明３のスケートボード練習補助装置によれば、丸形の硬質ポリ塩化ビニル管等の円筒形状に形成された管材は市販されており入手が容易であるため、スケートボード練習補助装置を安価に提供することができる。
【００１７】
さらに、発明４のスケートボード練習補助装置によれば、支柱の内径部にスタンド継手の差し込み部を差し込むだけで、支柱とスタンド継手の相対的な回転を阻止することができ、練習中に端部スタンドが不用意に動くことを防止することができる。
【００１８】
さらに、発明５のスケートボード練習補助装置によれば、継手で接続される部材同士は軸回りにおける相対的な回転ができない構造であるため、特別な回り止め手段を設けることを不要とする。
【００１９】
さらに、発明６のスケートボード練習補助装置によれば、レールの高さを低くすることができ、また安定してレールを支持することができる。
【図面の簡単な説明】
【００２０】
【図１】本発明によるスケートボード練習補助装置の第１実施形態を示す分解正面図である。
【図２】図１中の各スタンドを示し、（ａ）はＡ矢視図、（ｂ）はＢ矢視図、（ｃ）はＣ矢視図である。
【図３】図１に示すスケートボード練習補助装置の組み立て状態を示し、（ａ）は上面図、（ｂ）は正面図である。
【図４】図３（ａ）のＤ矢視断面図である。
【図５】図１に示すスケートボード練習補助装置の追加レールユニットを示す分解正面図である。
【図６】本発明によるスケートボード練習補助装置の第２実施形態を示し、第１レール部と第１スタンドの一部を示す分解斜視図である。
【図７】第３実施形態を示す第３スタンド部の概略斜視図である。
【発明を実施するための形態】
【００２１】
以下、本発明を図面に示す実施形態に基づいて説明する。
〔第１実施形態〕
図１から図５は本発明によるスケートボード練習補助装置の第１実施形態を示す。なお、図１中、右側を前端と称し、左側を後端と称す。
【００２２】
図１において、スケートボード練習補助装置（以下「練習補助装置」という。）１は、第１レール部１０と、第２レール部２０と、第１スタンド部３０と、第２スタンド部４０と、第３スタンド部５０と、ベルト締付手段をなす緊結ベルト６０とにより構成している。第１レール部１０と、第２レール部２０と、第１スタンド部３０と、第２スタンド部４０と、第３スタンド部５０は硬質ポリ塩化ビニル管（以下「塩ビ管」という。）で構成されている。第１レール部１０の直管の第１レール本体１１と第２レール部２０の直管の第２レール本体２１によりレールを構成する。第１スタンド部３０と第３スタンド部５０は前記レールの前後両端部を支持する端部スタンド部を構成し、第２スタンド部４０は、第１レール本体１１と第２レール本体２１の繋ぎ目を支持する繋ぎ目スタンド部を構成する。
【００２３】
練習補助装置１の概略構成は、第１レール部１０の後端部に第２レール部２０の前端部が差し込み方式のレール用継手で接続されて抜き差し可能なレールをなす。第１スタンド部３０は第１レール部１０の前端部に差し込み方式のスタンド用継手で抜き差し可能に接続される。また、第２スタンド部４０は、第１レール部１０と第２レール部２０の繋ぎ目部分に差し込み方式のスタンド用継手で抜き差し可能に接続され、第３スタンド部５０は第２レール部２０の後端部に差し込み方式のスタンド用継手で接続される。
【００２４】
図３に示すように、練習補助装置１の上記した各構成要素を継手方式で接続した後、緊結ベルト６０のベルト部材であるベルト本体６０ａを第１スタンド部３０の第１支柱３１の中を通し、さらに第３スタンド部５０の第３支柱５１の中を通し、長さ調整バックル６１に通したベルト本体６０ａの自由端側を強く引っ張って緊結することで、第１レール部１０と第２レール部２０が図１中左右方向（軸方向）に沿って互いに向かい合う方向に強く押し付け合う押し込み力を発生し、ガタつくことなく固定される。
【００２５】
次に、練習補助装置１の各構成要素について説明する。
〔第１レール部１０〕
塩ビ管製の第１レール部１０は、円筒形状に形成された塩ビ管製の第１レール本体１１と、第１レール本体１１の前端部１１ａの内径部に取り付けられた円筒形状の９０度エルボであるスタンド用継手の第１継手１２と、第１レール本体１１の後端部１１ｂの内径部に取り付けられた円筒形状のＴ型チーズであるレール用継手である第２継手１３とにより構成している。第１継手１２は、９０度エルボの一端差し込み部１２ａが第１レール本体１１の前端部１１ａの内径部に差し込まれ、接着剤を介して接着固定される。ここで、第１レール本体１１に固定された第１継手１２の他端差し込み部１２ｂの軸心方向を上下方向とする。
【００２６】
また、一端差し込み部１２ａの軸方向を前後方向とすると、前後方向に沿った軸線と上下方向に沿った軸線と互いに直交する方向である紙面に対して表裏方向を幅方向とする。第１継手１２の他端差し込み部１２ｂの周壁には、縦長に形成された切欠溝１２ｃを幅方向において対向して形成している。一対の切欠溝１２ｃは、他端差し込み部１２ｂの開口端から上方に向けて所定の長さ形成された逆凹形状に形成されている。
【００２７】
第２継手１３は、円筒形状に形成されたＴ型チーズで、上下方向に延びる縦差し込み部１３ａを中心として水平方向に両側に９０度の角度を有して分岐する第１分岐差し込み部１３ｂと第２分岐差し込み部１３ｃが形成されている。第１分岐差し込み部１３ｂが第１レール本体１１の後端部１１ｂの内径部に接着剤を介して接着固定される。その際、縦差し込み部１３ａは上下方向の軸線に合わせて配置される。第１レール本体１１の後端部１１ｂの下半部分は、縦差し込み部１３ａが第１分岐差し込み部１３ｂとの突き合わされる外周形状に合致した湾曲凹部形状に切り欠いた切欠部１１ｃが形成されている。このため、第１分岐差し込み部１３ｂは前後方向において、縦差し込み部１３ａの軸中心位置まで第１レール１１の後端部１１ｂに差し込むことができる。
【００２８】
〔第２レール部２０〕
第２レール部２０は、第１レール本体１１と同径の円筒形状に形成された塩ビ管製の第２レール本体２１と、第３継手２２で構成される。第２レール本体２１の前端部２１ａの下半部分に第１レール本体１１の切欠部１１ｃと対称の切欠部２１ｃが形成される。第２レール本体２１の前端部２１ａは、第２継手１３の第２分岐差し込み部１３ｃに、縦差し込み部１３ａの軸中心位置まで差し込まれ、抜き差し可能に接続される。
【００２９】
第３継手２２は第１継手１２と同一のものを使用しており、第１継手１２と同様に第２レール本体２１の後端部２１ｂに取り付けられる。なお、第３継手２２の構成において、第１継手１２と同じ部分には符号１２に代えて符号２２を付し、アルファベットの添え字は同様としてその説明は省略する。
【００３０】
第３継手２２は、一端差し込み部２２ａが第２レール本体２１の後端部２１の内径部に差し込まれて接着固定され、他端差し込み部２２ｂに一対の切欠溝２２ｃが幅方向に対向して形成される。
【００３１】
〔第１スタンド部３０〕
図１及び図２（ａ）に示すように、第１スタンド部３０は、第１レール本体１１の前端部を支持する。第１レール本体１１と同径の塩ビ管製の前支柱である第１支柱３１と、第１支柱３１の下端部３１ａに固定される第１接地部３２とにより構成している。第１支柱３１の上端部３１ｂの内径部には、第１継手１２の他端差し込み部１２ｂが抜き差し可能に差し込まれる。第１支柱３１は、上端部３１ｂの端面が第１継手１２の９０度に曲がる内側湾曲部に達する差し込み停止位置まで差し込まれる。
【００３２】
第１支柱３１の上端部３１ｂの周壁には、緊結ベルト６０のベルト本体６０ａが挿通可能な上下方向の高さを有する上下に細長いスリット３１ｃが一対の切欠溝１２ｃに対応して幅方向（図２（ａ）において左右方向）に対向して形成されている。そして、第１支柱３１が差し込み停止位置まで他端差し込み部１２ｂに差し込まれた状態において、図４に示すように、一対の切欠溝１２ｃと一対のスリット３１ｃは正対した状態になる。
【００３３】
本実施形態において、緊結ベルト６０は練習補助装置１の組み立て前に、予め第１支柱３１の一対のスリット３１ｃ内にベルト本体６０ａが通されている。このため、第１支柱３１に第１継手１２の他端差し込み部１２ｂを差し込むと、一対の切欠溝１２ｃが第１支柱３１の内径部内を幅方向に沿ってと配置される緊結ベルト６０のベルト本体６０ａに差し込まれる。練習補助装置１の組み立て完了のために、ベルト本体６０ａを緊結すると、第１支柱３１内を通るベルト本体６０ａは緊張されるので、第１継手１２の他端差し込み部１２ｂと第１支柱３１とは上下方向に沿った軸心の周りについて一体化し、相対的な回転が阻止される。
【００３４】
第１接地部３２は、第１スタンド部３０の幅方向における起立安定性を保持するもので、第２継手１３と同一サイズ（規格）の継手を上下方向逆にして用いた第１接地継手３３の縦差し込み部３３ａを第１支柱３１の下端部３１ａの内径部に接着剤を介して接着固定される。第１接地継手３３は、第１分岐差し込み部３３ｂと第２分岐差し込み部３３ｃを幅方向に沿って配置する。本実施形態において、第２継手１３と第１接地継手３３は同サイズの規格化された製品を使用しているため、第１分岐差し込み部３３ｂと第２分岐差し込み部３３ｃの長さでは第１支柱３１の起立保持に不安定であるため、第１分岐差し込み部３３ｂと第２分岐差し込み部３３ｃにそれぞれ延長接地パイプ３４、３５を継ぎ足している。延長接地パイプ３４、３５は第１パイプ本体１１と同サイズ（規格）のパイプを使用し、内径部に第１分岐差し込み部３３ｂと第２分岐差し込み部３３ｃを差し込んで接着固定している。
【００３５】
〔第２スタンド部４０〕
図１及び図２（ｂ）に示すように、第２スタンド部４０は、第１レール部１０と第２レール部２０の繋ぎ目部分を支持する。第２スタンド部４０は基本的に第１スタンド部３０と同構造に形成され、第２支柱４１の下端部４１ａに第２接地部４２が固定される。第２接地部４２は、第１接地継手３３と同じ継手である第２接地継手４３の縦差し込み部４３ａを第２支柱４１の下端部４１ａの内径部に差し込み、接着剤を介し接着固定している。第２支柱４１の上端部４１ｂの内径部に第２継手１３の縦差し込み部１３ａを抜き差し可能に差し込む。第２継手１３はレール用の継手とスタンド用の継手を兼用する。
【００３６】
第２スタンド２０は、主に下向きの荷重を支持することから、第１スタンド部３０のように第２支柱４１の幅方向の振れは大きくないので、延長接地パイプ３４、３５を設けていない。このため、練習補助装置１の軽量化を図ることができる。
【００３７】
〔第３スタンド部５０〕
第３スタンド部５０は、図１及び図２（ｃ）に示すように、第１スタンド部３０と同一の構成を有している。第３スタンド部５０は、第２レール部２０と同一の内径を有する塩ビ管製の後ろ支柱である第３支柱５１の下端部５１ａに第３接地部５２を固定している。第３接地部５２は第１接地部３２と同一構造で、第３接地継手５３の縦差し込み部５３ａを第３支柱５１の下端部５１ａの内径部に接着剤を介して接着固定される。第１分岐差し込み部５３ｂと第２分岐差し込み部５３ｃにそれぞれ延長接地パイプ５４、５５を継ぎ足している。
【００３８】
第１支柱３１と同構成の第３支柱５１には、一対のスリット５１ｃが幅方向に対向して形成され、一対のスリット５１ｃにベルト本体６０ａが通される。第３支柱５１の上端部５１ｂの内径部に第３継手２２の他端差し込み部２２ｂが差し込まれる。その際、第３継手２２の一対の切欠溝２２ｃは、一対のスリット５１ｃを通るベルト本体６０ａに差し込まれる。したがって、第３スタンド部５０と第３継手２２との相対的な回転が阻止される。
【００３９】
〔緊結ベルト６０〕
緊結ベルト６０のベルト本体６０ａの長さは、第１レール本体１１と第２レール本体２１とを同じ長さとした場合、例えば第１レール本体１１を３本繋ぎ合わせた長さのレールに対して掛け回すことができる長さに引っ張るための把持部分の余裕を持たせた長さを有する。緊結ベルト６０は、ベルト本体６０ａの一端部に長さ調整バックル６１が取り付けられる。長さ調整バックル６１は、図１及び図２（ａ）に示すように、四角形のフレーム部６２内に、第１格子部６３と第２格子部６４が隔設されている。緊結ベルト６０の一端側は、フレーム部６２の一端側の裏側から第１格子部６３で折り返し、折り返し先端部をベルト本体６０ａの裏側で縫合している。ベルト本体６０ａの自由端側は、フレーム部６２の他端側の裏側から差し込んで第２格子部６４で折り返し、フレーム部６２の他端側フレームとベルト本体６０ａの表側との間を通して引き出され、引き出された部分を把持部分とする。この長さ調整バックル６１は、把持部分を引くという簡単な操作でベルト本体６０ａで形成される輪を小さくすることができるが、輪に延び方向の力が作用しても前記把持部分が引き戻されることはなく、緊結状態が保持される。
【００４０】
第１レール部１０と第２レール部２０を第１レール部１０側の第２継手１３により抜き差し可能に繋ぎ合わせ、第１スタンド部３０の第１支柱３１に第１継手１２を抜き差し可能に差し込む。同様に、第２スタンド部４０の第２支柱４１の内径部に第２継手１３の縦差し込み部１３ａを抜き差し可能に差し込む。さらに、第３スタンド部５０の第３支柱５１の内径部に第３継手２２の他端差し込み部２２ｂを抜き差し可能に差し込む。このようにして練習補助装置１は図３のように組み立てられる。
【００４１】
最後に、第１支柱３１の一対のスリット３１ｃと第３支柱５１の一対のスリット５１ｃに予め通しておいた緊結ベルト６０のベルト本体６０ａを長さ調整バックル６１に通し、ベルト本体６０ａの把持部分を強く引っ張ることにより、前後方向における第１レール本体１１と第２レール本体２１の各差込み部を差し込み方向に強い力で押し付けて強固に一体化する。緊結ベルト６０のベルト本体６０ａは第１レール部１１と第２レール部２１と平行に配置することにより、緊結力をロスなく第１レール部１１と第２レール部２１の差し込み方向に付与することができる。また、ベルト本体６０ａを９０度エルボの第１継手１２と第３継手２２に近づけた上方位置の一対のスリット３１ｃ、５１ｃに通しているので、緊結力をより一層ロスなく第１レール部１１と第２レール部１２に加えることができる。ベルト本体６０ａが第１継手１２と第３継手２２から離れた下方に位置すると、第１支柱３１と第３支柱５１が互いに向かい合う内側方向に曲げ変形を受け、第１レール本体１１と第２レール本体２１の各差込み部における差し込み方向の力が弱まる。
【００４２】
図３（ｂ）に示すように、練習補助装置１の組み立て状態において、第１支柱３１の内径部内でベルト本体６０ａに対して第１継手１２の一対の切欠溝１２ｃが挟み込まれるようにして差し込まれるため、第１支柱３１が第１継手１２に対し、上下方向の軸心を中心とする回転が規制される。このため、第１スタンド部３０の第１接地部３２は、幅方向に沿って延びた状態に位置決めされる。第３支柱５１と第３継手２２も同様な構成であるため、第３スタンド部５０の第３接地部５２も同様な位置きめが行われる。
【００４３】
第２スタンド部４０は、第２接地部４２を幅方向に沿って延びた状態に位置決めする規制手段は特に設けていない。このため、第２スタンド部４０を第２継手１３の縦差し込み部１３ａに差し込む際に、第２接地部４２を幅方向に沿うように差し込む。
【００４４】
第３スタンド部５０の全体的な高さは第１スタンド部３０と同じとしているが、高さが異なってもよい。
【００４５】
本実施形態において、第１レール本体１１と第２レール本体２１は例えば６０ｃｍ程度の長さとすることにより、持ち運びが容易である。また、第１レール本体１１と第２レール本体２１の塩ビ管としては、呼び径（内径）が例えば１５０ｍｍを例示することができる。勿論、これに限定されるものではない。
【００４６】
第１レール本体１１と第２レール本体２１を繋いだ長さでは不十分の場合には、図５に示す追加レールユニット７０を用いて長さを延長することができる。
【００４７】
図５において、追加レールユニット７０は、追加レール部７１と、第２スタンド部４０と同じ構成の追加スタンド７２とにより構成される。追加レール部７１は、図１において、第１レール部１０と第２レール部２０との間に配置され、追加スタンド７２は、追加レール部７１と第２レール部２０の繋ぎ目を支持する。
【００４８】
追加レール部７１は、第２レール本体２１をそのまま利用した追加レール本体７３と、第１レール部１０の第２継手１３と同一の追加継手７４で構成される。追加レール本体７３の前端部７３ａの内径部に第２継手１３の他端差し込み部１３ｂが抜き差し可能に差し込まれる。追加レール本体７３の後端部７３ｂには、追加継手７４が第１レール部１０の構造と同様にして接着固定される。
【００４９】
また、追加レール本体７３の前端部７３ａの下半部分には第２レール本体２１の切欠溝１２ｃと同じ切欠溝７３ｃが形成され、追加レール本体７３の前端部が第２継手１３の縦差し込み部１３ａとの干渉を避けて差し込み可能としている。
【００５０】
このように、追加レール本体７３を追加しても、緊結ベルト６０は余裕をもって第１レール本体１１と追加レール本体７３と第２レール本体２１を差し込み方向に沿って緊結保持することができる。
【００５１】
本実施形態の練習補助装置１によれば、装置全体を構成する第１レール部１０、第２レール部２０、追加レールユニット７０、第１スタンド部３０、第２スタンド部４０、第３スタンド部５０は硬質ポリ塩化ビニル管を用いているため、軽量化することができる。
【００５２】
また、第１レール部１０、第２レール部２０、追加レールユニット７０、第１スタンド部３０、第２スタンド部４０、第３スタンド部５０は、それぞれ継手等の構成部材をネジ止めではなく接着剤で固定し、雌ネジ部を不要としているので、練習中に雌ネジ部が潰れて取り付けネジが抜けるということがなく、安全性に優れている。
【００５３】
さらに、丸形の硬質ポリ塩化ビニル管は市販されており入手が容易であるため、練習補助装置１を安価に提供することができる。
【００５４】
また、第１レール本体１１と第２レール本体２１、追加する場合には追加レール本体７１の前後方向に沿った組付けは、前後方向に沿って継手を用いて差し込む方式を採用しているが、前後方向の両端に設けた第１スタンド部３０と第３スタンド部５０の一対のスリット３１ｃ、５１ｃ内を通したベルト本体６０ａを緊張し、前後方向に沿って第１レール本体１１と第２レール本体２１、又はその間に追加レール本体７１を継ぎ足した状態で緊結している。このため、第１レール本体１１と第２レール本体２１、又はその間に継ぎ足した追加レール本体７１が一体化し、抜けが防止され、練習でレール上に強い衝撃や荷重を加えても安全性が維持される。
【００５５】
さらに、第１スタンド部３０の第１支柱３１に対し、差し込み相手の第１継手１２の他端差し込み部１２ｂの回り止め手段として第１支柱３１の内径部に配置するベルト本体６０ａを利用している。他端差し込み部１２ｂに形成した一対の切欠溝１２ｃを上からベルト本体６０ａに差し込んで挟み込むようにているので、第１継手１２と第１支柱３１とは上下方向に沿った軸心回りの相対的な回転が規制される。第３スタンド５０の第３支柱５１と第３継手２２との関係においても同様である。したがって、練習中に第１レール本体１１や第２レール本体２１等のレールに対して幅方向に沿った力を加え、第１継手１３、第３継手２２に上下方向の軸心回りに回転モーメントを発生させても、第１支柱３１、第３支柱５１がこれを受け止めるので、レールが不用意に動くことが防止される。また、緊結ベルト６０はベルト本体６０ａが樹脂繊維などで形成されるため、その弾性力で回転モーメントを緩衝して受け止めるため、急激な反力の発生を防止することができる。緊結ベルト６０を緩めれば、第１継手１２から第１スタンド部３０を容易に抜き取ることができる。第１レール本体１１と第２レール本体２１との抜き取りも同様である。
【００５６】
また、練習補助装置１のレールを傾斜させる場合には、第３スタンド部５０を第１スタンド部３０よりも低いスタンド部に交換すればよく、第３スタンド部５０を設けなくてもよい。
【００５７】
〔第１実施形態の変形例〕
第１支柱３１と第３支柱５１にはそれぞれ縦長矩形開口のスリット３１ｃ、５１ｃを設けているが、スリット３１ｃ、５１ｃを第１支柱３１及び第３支柱の上端まで達し、上端が開口した深溝形状としてもよい。この場合、ベルト本体６０ａをスリット３１ｃ、５１ｃの上端開口から差し込むことができるので、ベルト本体６０ａの取り付け作業が容易となる。
【００５８】
第１接地部３２の延長接地パイプ３４，３５と第３接地部５２の延長接地パイプ５４，５５を金属製パイプとしてもよい。
【００５９】
〔第２実施形態〕
図６は本発明によるスケートボード練習補助装置の第２実施形態を示す。第１実施形態は、練習補助装置１の第１レール部１０、第２レール部２０、追加レールユニット７０、第１スタンド部３０、第２スタンド部４０、第３スタンド部５０を円筒形状の丸形塩ビ管で構成しているが、第２実施形態は、これらの各部材を角形塩ビ管で構成している。
【００６０】
図６は、練習補助装置１００の一部である第１レール部１１０と第１スタンド１３０の第１支柱１３１との分解斜視図を示している。第１レール部１１０は、角形の第１レール本体１１１の前端部１１１ａの内径部に角形の９０度エルボである第１継手１１２の一端差し込み部１１２ａが差し込まれて接着剤を介して接着固定されている。第１レール本体１１１の後端部１１１ｂの内径部に、角形のＴ型チーズである第２継手１１３の第１分岐差し込み部１１３ｂが差し込まれて接着剤を介して接着固定されている。後端部１１１ｂの底壁部には、差し込みの際に縦差し込み部１１３ａとの干渉を避ける切欠部１１１ｃが形成されている。
【００６１】
第１継手１１２の他端差し込み部１１２ｂは外形が角形形状に形成され、第１スタンド１３０の第１支柱１３１は内径部１３１１が角孔に形成されている。角孔の内径部１３１１に角形外形の他端差し込み部１１２ｂが抜き差し可能に差し込まれるため、上下方向に沿った軸心の回りについて回転不能に嵌合し、第１支柱１１３と他端差し込み部１１２ｂが相対的に回転することはない。したがって、第１実施形態のように他端差し込み部１２ｂに切欠溝１２ｃを設け、ベルト本体６０ａに差し込ませる構成は不要となる。図示しない緊結ベルト６０のベルト本体６０ａは、第１支柱１３１と図示しない第３支柱との外周面に掛け回して緊結される。
【００６２】
〔第３実施形態〕
図７は第３実施形態を示す第３スタンド部の概略斜視図である。
第３実施形態の第３スタンド部５０は、スリット５１ｃを備えた第３支柱５１を支持する第３接地部５２´を平板上の金属板５７と、金属板５７の上に金属製の金属筒５８を垂直に立て、金属筒５８を溶接など金属板５７に固定した構成としている。そして、第３支柱５１の内径部を金属筒５８に外嵌して固定している。固定手段としては、接着剤、ネジ止め等が用いられる。ネジ止めの場合、金属筒５８にネジ孔をを設け、第３支柱５１に設けたネジ通し孔にネジを通してネジ孔に螺合させて締め付けるので、ネジ山がつぶれることがない。
【００６３】
第３実施形態によれば、金属板５７を接地させるため、広い面積での接地が可能となり、安定してレールの支持を行うことができる。第１スタンド部３０は、第１接地部３２をこの金属板５７を用いた構成の第３接地部３２´とすることができる。
【００６４】
第１スタンド部３０の第１接地部３２´と第３スタンド部５０の第３接地部５２´は接地面に接地する部材をパイプ状の管材から金属板５７に変更しているので、第１スタンド部３０と第３スタンド部５０の高さは低くなる（金属板５７の板厚は管材の外径よりもはるかに小さい）。このため、第２スタンド部４０の高さも低くする必要がある。そこで、第２スタンド部４０は、第２接地部４２を廃止し、第２支柱４１の下端を接地面に接地させることでレールの水平を維持することができる。
【００６５】
〔他の実施形態〕
追加レールユニット７０の接続は、１本だけでなく、複数本の追加レールユニット７０を接続してもよく、複数本の追加レール本体７３を接続し、その両端に第１レール本体１１と第２レール本体２１を接続する。
【００６６】
また、緊結ベルト６０を除く練習補助装置１、１００の構成要素は硬質の塩ビ管を用いているが、硬質でなくてもよく、塩ビ管でなくてもよく、軽量の樹脂管で、スケートボードのボードスライドに耐える強度を備えたものであればよい。
【００６７】
さらに、第２レール部２０は、第２レール本体２１の後端部２１ｂを地面などに固定し、第１レール部１０側を高くしてレールを傾斜させて練習補助装置１を使用する場合、第３スタンド部５０を設けなくてもよい。その際、緊結ベルト６０のベルト本体６０ａは、第２レール本体２１の後端側端面に掛けて緊結する。
【符号の説明】
【００６８】
１…スケートボード練習補助装置（練習補助装置）、  １０…第１レール部、  １１…第１レール本体、  １１ａ…前端部、  １１ｂ…後端部、  １１ｃ…切欠部、  １２…第１継手、  １２ａ…一端差し込み部、  １２ｂ…他端差し込み部、  １２ｃ…切欠溝、  １３…第２継手、  １３ａ…縦差し込み部、  １３ｂ…第１分岐差し込み部、  １３ｃ…第２分岐差し込み部、  ２０…第２レール部、  ２１…第２レール本体、  ２１ａ…前端部、  ２１ｂ…後端部、  ２１ｃ…切欠部、  ２２…第３継手、  ２２ａ…一端差し込み部、  ２２ｂ…他端差し込み部、  ２２ｃ…切欠溝、  ３０…第１スタンド部、  ３１…第１支柱、  ３１ａ…下端部、  ３１ｂ…上端部、  ３１ｃ…スリット、  ３２…第１接地部、  ３３…第１接地継手、  ３３ａ…縦差し込み部、  ３３ｂ…第１分岐差し込み部、  ３３ｃ…第２分岐差し込み部、  ３４、３５…延長接地パイプ、  ４０…第２スタンド部、  ４１…第２支柱、  ４１ａ…下端部、  ４１ｂ…上端部、  ４２…第２接地部、  ４３…第２接地継手、  ４３ａ…縦差し込み部、  ５０…第３スタンド部、  ５１…第３支柱、  ５１ａ…下端部、  ５１ｂ…上端部、  ５２、５２´…第３接地部、  ５３…第３接地継手、  ５３ａ…縦差し込み部、  ５３ｂ…第１分岐差し込み部、  ５３ｃ…第２分岐差し込み部、  ５４、５５…延長接地パイプ、  ５７…金属板、  ５８…金属筒、  ６０…緊結ベルト、  ６１…長さ調整バックル、  ６２…フレーム部、  ６０ａ…ベルト本体、  ６３…第１格子部、  ６４…第２格子部、  ７０…追加レールユニット、  ７１…追加レール部、  ７２…追加スタンド、  ７３…追加レール本体、  ７３ａ…前端部、  ７３ｂ…後端部、  ７３ｃ…切欠溝、  ７４…追加継手、  １００…練習補助装置、  １１０…第１レール部、  １３０…第１スタンド、  １３１…第１支柱、  １３１１…内径部、  １１１…第１レール本体、  １１１ａ…前端部、  １１１ｂ…後端部、  １１２…第１継手、  １１２ａ…一端差し込み部、  １１２ｂ…他端差し込み部、  １１３…第２継手、  １１３ｂ…第１分岐差し込み部
【図１】
0006831875.tif 000002
【図２】
0006831875.tif 000003
【図３】
0006831875.tif 000004
【図４】
0006831875.tif 000005
【図５】
0006831875.tif 000006
【図６】
0006831875.tif 000007
【図７】
0006831875.tif 000008